(57)【要約】【課題】輸送容器内に固縛されるＭＯＸ燃料集合体の固縛力の管理のために固縛力測定装置を用いて行われる固縛力の測定に際して、効率的に固縛力の測定を行うことができる固縛力測定装置および固縛力測定方法を提供する。【解決手段】輸送容器内に固縛されるＭＯＸ燃料集合体の固縛力の管理のために行われる固縛力の測定に際して、輸送容器内の燃料収納部に挿入して固縛力を測定する固縛力測定装置であって、ＭＯＸ燃料集合体を模擬して直方体形状に作製されており、長手方向に直交する断面が長方形に形成されており、短辺の外寸法がＭＯＸ燃料集合体の外寸法が最小になる場合の寸法であり、長辺の外寸法がＭＯＸ燃料集合体の外寸法が最大になる場合の寸法である固縛力測定装置。【選択図】なし【特許請求の範囲】
【請求項１】
輸送容器内に固縛されるＭＯＸ燃料集合体の固縛力の管理のために行われる固縛力の測定に際して、前記輸送容器内の燃料収納部に挿入して固縛力を測定する固縛力測定装置であって、
前記ＭＯＸ燃料集合体を模擬して直方体形状に作製されており、
長手方向に直交する断面が長方形に形成されており、短辺の外寸法が前記ＭＯＸ燃料集合体の外寸法が最小になる場合の寸法であり、長辺の外寸法が前記ＭＯＸ燃料集合体の外寸法が最大になる場合の寸法である
ことを特徴とする固縛力測定装置。
【請求項２】
前記ＭＯＸ燃料集合体の基準寸法Ｌに対する製造公差を±ａとし、前記ＭＯＸ燃料集合体の温度上昇による熱膨張に伴って膨張する長さの最大値をｔとしたとき、
前記長手方向に直交する断面の前記短辺の外寸法がＬ−ａであり、
前記長手方向に直交する断面の前記長辺の外寸法がＬ＋ａ＋ｔである
ことを特徴とする請求項１に記載の固縛力測定装置。
【請求項３】
輸送容器内に固縛されるＭＯＸ燃料集合体の固縛力の管理のために行われる固縛力の測定に際して、前記輸送容器内の燃料収納部に固縛力測定装置を挿入して前記固縛力測定装置の固縛力を測定する固縛力測定方法であって、
前記輸送容器内に形成された燃料収納部に、請求項１または請求項２に記載の固縛力測定装置を挿入し、
前記ＭＯＸ燃料の各支持格子並びに上下部ノズルに相当する位置で、長手方向に直交する断面の２方向から前記固縛力測定装置を固縛して、各方向における固縛力を測定した後、
前記輸送容器から前記固縛力測定装置を取出し、前記固縛力測定装置を９０度回転し、前記固縛力測定装置を再度前記輸送容器に挿入して固縛し、固縛力を測定する
ことを特徴とする固縛力測定方法。
【発明の詳細な説明】
【技術分野】
【０００１】
本発明は、固縛力測定装置および固縛力測定方法に関し、詳しくは、輸送容器内に固縛されるＭＯＸ燃料集合体の固縛力の管理のために固縛力測定装置を用いて行われる固縛力の測定に際して、効率的に固縛力の測定を行うことができる固縛力測定装置および固縛力測定方法に関する。
【背景技術】
【０００２】
原子炉に使用される燃料集合体は、多数の燃料棒を複数の支持格子および上下部ノズルにより固定して構成されており、輸送容器に収納されて輸送される。
【０００３】
輸送容器は、内側に燃料集合体を収納する燃料収納部を有しており、収納された燃料集合体を固縛するための固縛具を有している。燃料収納部では、燃料集合体の各支持格子並びに上下部ノズルを固縛することにより、燃料集合体を固定している。そして、輸送容器は固縛された燃料集合体を水平状態に保って輸送される。
【０００４】
このとき、燃料集合体を固縛する力（固縛力）が小さ過ぎる場合には輸送中に燃料集合体が動いて、燃料に変形が生じる恐れがあり、一方、固縛力が大き過ぎる場合には輸送中に燃料集合体に過大な力が加わり燃料が破損する恐れがあるため、この固縛力を一定の設計仕様値の範囲内に管理して、輸送される燃料集合体の健全性を確保する必要がある。
【０００５】
図１は、上記した燃料収納部に燃料集合体を固縛している状況を示す断面図であり、複数の燃料集合体が収納される輸送容器における１つの燃料収納部で、燃料集合体の支持格子が固縛されている状況を示している。図１において、Ａは燃料収納部、１は燃料集合体、１Ｂは燃料集合体１の支持格子、２は支持格子を固縛する固定枠２である。なお、固定枠２は、図１に示したような支持格子１Ｂの各位置だけでなく、図示しない他の支持格子及び上下部ノズルの位置に対応する位置にも設けられている。
【０００６】
燃料収納部Ａは円筒形状の外容器（図示せず）内に固定されて輸送されるが、この円筒形状の外容器は上下をかまぼこ形状に２分割することが可能な構造となっており、上部側の外容器を取り外すことによって作業者が固定枠２に設けられた固縛具３に近接して作業することができる。
【０００７】
固定枠２には、ボルト３ａとナット３ｂで構成された固縛具３およびサポート板４Ａ、４Ｂが設けられており、各固縛具３のナット３ｂを所定のトルクで締め付けてボルト３ａを動作させるなど設計仕様に基づく固縛方法により、燃料収納部Ａに配置された燃料集合体１をサポート板４Ａ、４Ｂを介して、Ｘ方向およびＹ方向から２枚の支持板５に押さえ付けることにより、ウラン燃料集合体１が固縛される。このとき、Ｘ方向およびＹ方向から押さえ付けられる力が固縛力である。
【０００８】
このような輸送容器において、ウラン燃料集合体を固縛する場合、固縛作業を作業者が各支持格子並びに上下部ノズルに近接して行うことができるため、上記したように外容器を上下に分割して開閉可能にすると共に、燃料収納部の固定枠の片側に蝶番を配置して開閉可能とした容器が従来より使用されて、ウラン燃料集合体が固縛されている。
【０００９】
具体的には、図１において、固定枠２を開状態にして、燃料集合体（ウラン燃料集合体）１を水平方向に配置された支持板５の上に裁置し、その後、固定枠２を閉じて、固縛具３を用いてＸ方向およびＹ方向の２方向に向けてサポート板４Ａ、４Ｂを介して押し付けることにより固縛している。
【００１０】
このように、ウラン燃料集合体を固縛して輸送容器に収納するに際しては、固縛作業を作業者が各支持格子並びに上下部ノズルに近接して行うことができるため、固縛具３の締め付け時のトルクと押さえ力（固縛力）との関係を予め求めておくことにより、各固定枠における支持格子並びに上下部ノズルの固縛力を個々に直接管理することができる。
【００１１】
しかし、ＭＯＸ燃料集合体を固縛する場合には、ＭＯＸ燃料は線量当量率が高いため、ウラン燃料集合体の場合のように固縛作業を作業者が各支持格子並びに上下部ノズルに近接して行うことが困難であり、外容器を上下に分割して開閉可能にすることもできない。
【００１２】
このため、ＭＯＸ燃料集合体の輸送容器においては、図２に示すように、外容器内に複数の燃料収納部を設けた燃料バスケット１１が形成され、燃料バスケット内に燃料収納部となる直方体状の空間（ロジメント）１０が設けられている。
【００１３】
そして、ＭＯＸ燃料集合体の輸送容器への収納に際しては、燃料バスケットが鉛直となるように輸送容器を配置し、ロジメントにＭＯＸ燃料集合体を下部ノズル側から挿入した後、固縛具を燃料バスケット上端部側から操作することにより、ＭＯＸ燃料集合体の全ての支持格子並びに上下部ノズルを一括して固縛して、輸送容器へ固定している。ＭＯＸ燃料集合体が固定された輸送容器は、鉛直方向から水平方向に裁置方向が変更された後、輸送に供せられる。
【００１４】
そして、このようなＭＯＸ燃料集合体用の輸送容器について、燃料バスケット上端部側から固縛具を操作して、輸送容器内においてＭＯＸ燃料集合体が動かないようにする器具（デバイス）等が提案されている（例えば、特許文献１）。
【００１５】
しかし、挿入されたＭＯＸ燃料集合体の固縛は、燃料バスケットの構造上、上端部側から一括して行うため、ウラン燃料集合体の場合のように締め付け時のトルクを個別に測定して、固縛力を管理することができない。
【００１６】
そこで、ＭＯＸ燃料集合体を固縛して輸送容器に収納するに際しては、従来より、固縛されたＭＯＸ燃料集合体について固縛力を直接測定するのではなく、実際の固縛作業前にＭＯＸ燃料集合体を模擬して作製された専用の固縛力測定装置を用いて、設計仕様において予め定められた手順に従って固縛作業を行って固縛力を測定し、測定された固縛力が仕様値の一定範囲内であることを確認して、予め定められた手順に従って固縛作業を行えば、実際のＭＯＸ燃料集合体においても固縛力が適切に管理されていると判断するようにしている。
【００１７】
図３はこの固縛力測定装置を説明する斜視図であり、固縛力測定装置ＢはＭＯＸ燃料集合体の基準寸法に合わせて、長手方向に直交する断面が正方形の直方体に形成され、ＭＯＸ燃料集合体の各支持格子並びに上下部ノズルに相当する位置に固縛力測定板６Ａ、６Ｂが取り付けられている。なお、固縛力測定板６Ａ、６Ｂには、図示しないロードセルが配置されており、固縛時の押さえ力（固縛力）を測定可能としている。
【００１８】
この固縛力測定装置Ｂを用いた固縛力の測定は、以下のように行われる。まず、輸送容器内へのＭＯＸ燃料集合体の挿入と同様にして、輸送容器内の燃料バスケットに設けられたロジメントへクレーン等で吊り上げられた固縛力測定装置Ｂを下部ノズルに相当する側から挿入する。
【００１９】
次に、燃料バスケット上端部側から設計仕様に基づく固縛方法により、各支持格子並びに上下部ノズルの位置に配置されたサポート板を介して、図１に示した方向と同じＸ方向およびＹ方向の２方向に向けて固縛力測定装置Ｂを押さえ付ける。
【００２０】
このとき固縛力測定板６Ａ、６Ｂが押さえ付けられる力を固縛力測定板６Ａ、６Ｂに配置されたロードセルを用いて測定することにより、各支持格子並びに上下部ノズルの位置におけるＸ方向およびＹ方向の固縛力を測定することができる。
【先行技術文献】
【特許文献】
【００２１】
【特許文献１】特表２００２−５０１１８０号公報
【発明の概要】
【発明が解決しようとする課題】
【００２２】
しかしながら、実際のＭＯＸ燃料集合体には製造公差があること、また、ＭＯＸ燃料が発熱して輸送容器内（燃料収納部）の温度が上昇してＭＯＸ燃料集合体が熱膨張することにより、ＭＯＸ燃料集合体の外寸法が変化して固縛力の変化を招く。
【００２３】
即ち、ＭＯＸ燃料集合体の基準寸法Ｌに対する製造公差を±ａとし、ＭＯＸ燃料集合体の温度上昇による熱膨張に伴って膨張する長さの最大値を＋ｔとしたとき、ＭＯＸ燃料集合体の外寸法はＬ−ａで最小となり、Ｌ＋ａ＋ｔで最大となるように変化する可能性があり、それに合わせて固縛力も変化する。
【００２４】
具体的には、燃料集合体の外寸法が小さくなった場合には同じように固縛しても、固縛力が低下して燃料集合体を適切に固縛できなくなる恐れがある。一方、燃料集合体の外寸法が大きくなった場合には同じように固縛しても、固縛力が過大となり燃料集合体の破損を招く恐れがある。
【００２５】
そこで、このような外寸法の変化を考慮して、ＭＯＸ燃料集合体の固縛力の管理状況を判断する際には、外寸法を上記した最小にした固縛力測定装置と、最大にした固縛力測定装置の２種類を準備して、それぞれの固縛力測定装置を用いて、設計仕様に基づいて同じ固縛方法で固縛して固縛力を測定し、それぞれの固縛力測定装置において測定された固縛力が共に設計仕様値を満足することを輸送実施前に確認して、設計仕様に基づく固縛方法に従って固縛することにより実際のＭＯＸ燃料集合体が適切に固縛されていると判断していた。
【００２６】
具体的には、先ず、いずれかの固縛力測定装置を用いて、上記した方法で固縛力を測定する。この測定が終了した後、測定した固縛力測定装置を輸送容器内の燃料収納部（ロジメント）より取り外して、もう１つの固縛力測定装置と交換する。そして、交換した固縛力測定装置を用いて、同様に固縛力を測定する。
【００２７】
しかし、この固縛力の測定は、上記したように、２種類の固縛力測定装置を予め準備する必要があり、また、２回の固縛力測定をそれぞれの固縛力測定装置に交換して行うためにクレーン等の吊替えが必要となり、効率的な固縛力測定方法とは言えなかった。
【００２８】
そこで、本発明は、輸送容器内に固縛されるＭＯＸ燃料集合体の固縛力の管理のために固縛力測定装置を用いて行われる固縛力の測定に際して、効率的に固縛力の測定を行うことができる固縛力測定装置および固縛力測定方法を提供することを課題とする。
【課題を解決するための手段】
【００２９】
請求項１に記載の発明は、
輸送容器内に固縛されるＭＯＸ燃料集合体の固縛力の管理のために行われる固縛力の測定に際して、前記輸送容器内の燃料収納部に挿入して固縛力を測定する固縛力測定装置であって、
前記ＭＯＸ燃料集合体を模擬して直方体形状に作製されており、
長手方向に直交する断面が長方形に形成されており、短辺の外寸法が前記ＭＯＸ燃料集合体の外寸法が最小になる場合の寸法であり、長辺の外寸法が前記ＭＯＸ燃料集合体の外寸法が最大になる場合の寸法である
ことを特徴とする固縛力測定装置である。
【００３０】
請求項２に記載の発明は、
前記ＭＯＸ燃料集合体の基準寸法Ｌに対する製造公差を±ａとし、前記ＭＯＸ燃料集合体の温度上昇による熱膨張に伴って膨張する長さの最大値をｔとしたとき、
前記長手方向に直交する断面の前記短辺の外寸法がＬ−ａであり、
前記長手方向に直交する断面の前記長辺の外寸法がＬ＋ａ＋ｔである
ことを特徴とする請求項１に記載の固縛力測定装置である。
【００３１】
請求項３に記載の発明は、
輸送容器内に固縛されるＭＯＸ燃料集合体の固縛力の管理のために行われる固縛力の測定に際して、前記輸送容器内の燃料収納部に固縛力測定装置を挿入して前記固縛力測定装置の固縛力を測定する固縛力測定方法であって、
前記輸送容器内に形成された燃料収納部に、請求項１または請求項２に記載の固縛力測定装置を挿入し、
前記ＭＯＸ燃料の各支持格子並びに上下部ノズルに相当する位置で、長手方向に直交する断面の２方向から前記固縛力測定装置を固縛して、各方向における固縛力を測定した後、
前記輸送容器から前記固縛力測定装置を取出し、前記固縛力測定装置を９０度回転し、前記固縛力測定装置を再度前記輸送容器に挿入して固縛し、固縛力を測定する
ことを特徴とする固縛力測定方法である。
【発明の効果】
【００３２】
本発明によれば、輸送容器内に固縛されるＭＯＸ燃料集合体の固縛力の管理のために固縛力測定装置を用いて行われる固縛力の測定に際して、効率的に固縛力の測定を行うことができる固縛力測定装置および固縛力測定方法を提供することができる。
【図面の簡単な説明】
【００３３】
【図１】燃料収納部に燃料集合体を固縛している状況を示す断面図である。
【図２】ＭＯＸ燃料集合体の輸送容器を模式的に示す斜視図である。
【図３】固縛力測定装置の斜視図である。
【図４】本発明の実施の形態に係る固縛力測定装置の断面図である。
【発明を実施するための形態】
【００３４】
以下、本発明を実施の形態に基づき、図面を用いて説明する。
【００３５】
本実施の形態において、輸送容器内に固縛されるＭＯＸ燃料集合体の固縛力の管理のために固縛力測定装置を用いて行われる固縛力の測定に際しては、ＭＯＸ燃料集合体の基準寸法に合わせて長手方向に直交する断面が正方形で各辺が全て同じ外寸法に作製された従来の固縛力測定装置に替えて、断面が長方形で短辺と長辺を有する固縛力測定装置を用いる。
【００３６】
図４は本実施の形態に係る固縛力測定装置の断面図であり、本実施の形態に係る固縛力測定装置は、従来の固縛力測定装置と同じようにＭＯＸ燃料集合体を模擬して直方体形状に作製されているが、図４に示すように、長手方向に直交する断面が長方形であり、短辺の外寸法がＭＯＸ燃料集合体の外寸法が最小になる場合の寸法であり、長辺の外寸法がＭＯＸ燃料集合体の外寸法が最大になる場合の寸法、即ち、Ｘ１の長さがＬ−ａ、Ｙ１の長さがＬ＋ａ＋ｔと互いに異なる長さとなっている。なお、前記したようにＬはＭＯＸ燃料集合体の基準寸法であり、±ａは基準寸法Ｌに対する製造公差であり、＋ｔはＭＯＸ燃料集合体の温度上昇による熱膨張に伴って膨張する長さの最大値である。
【００３７】
この固縛力測定装置Ｂを用いた固縛力の測定は、基本的に、従来と同様である。即ち、固縛力測定装置Ｂをクレーン等で吊り上げて、固縛力測定装置Ｂの下部ノズルに相当する側から固縛力測定装置Ｂを輸送容器内に形成されている燃料収納部（ロジメント）に挿入して、燃料バスケット上端部側から設計仕様に基づく固縛方法により、各支持格子並びに上下部ノズルの位置に配置されたサポート板を介して、Ｘ１と平行な方向（Ｘ方向）およびＹ１と平行な方向（Ｙ方向）の２方向に向けて固縛力測定装置Ｂを押さえ付け、各方向における固縛力を測定する。
【００３８】
このとき、本実施の形態に係る固縛力測定装置においては、前記したように、固縛力測定板６Ａ、６Ｂが押さえ付ける外寸法が異なっているため、固縛力測定板６ＡではＸ方向に押さえ付けられて外寸法が最小の場合に対応した固縛力が測定され、一方、固縛力測定板６ＢではＹ方向に押さえ付けられて外寸法が最大の場合に対応した固縛力が測定される。
【００３９】
次に、固縛力測定装置Ｂをクレーン等で吊り上げて輸送容器内のロジメントから取り出して、９０°回転させ、再び、輸送容器内のロジメントに挿入し、その後は、上記と同様にして固縛力を測定する。これにより、Ｘ方向に対しては外寸法が最大の場合に対応した固縛力が測定され、Ｙ方向に対しては外寸法が最小の場合に対応した固縛力が測定される。
【００４０】
このように、本実施の形態に係る固縛力測定装置を用いた場合には、従来と異なり、固縛力測定装置を２種類準備する必要がなく、また、クレーン等で吊り上げたままで単に９０°回転させるだけで、Ｘ方向とＹ方向の２つの方向に対して、外寸法が最大の場合に対応した固縛力と外寸法が最小の場合に対応した固縛力を測定することができるため、クレーン等の吊替えが必要であった従来の方法に比べて、効率的に固縛力の測定を行うことができる。
【００４１】
上記のようにして測定された固縛力が仕様値の一定範囲内に収まった場合、固縛力測定装置をロジメントから取り出して、ＭＯＸ燃料集合体と交換して固縛力測定装置を固縛した時と同様にしてＭＯＸ燃料集合体を固縛する。
【００４２】
一方、本実施の形態の固縛力測定装置を用いて上記のようにして測定された固縛力の最大値または最小値のうちいずれか一方または両方が一定範囲内に収まらない場合には、設計仕様に示された固縛方法に基づいて適宜調整して、再度固縛力を測定する。そして、測定された固縛力の最大値および最小値の両方が一定範囲内に収まるまで上記の測定を繰り返し、一定範囲内に収まった時点で、固縛力測定装置をロジメントから取り出して、ＭＯＸ燃料集合体と交換し、そのときの固縛方法と同様にしてＭＯＸ燃料集合体を固縛する。
【００４３】
なお、上記のような外寸法が異なる固縛力測定装置に替えて、外寸法を最小にして作製された従来の固縛力測定装置の１辺に、所定の厚みの板を取り付けて外寸法が最大となるようにして本実施の形態の固縛力測定装置としてもよい。
【００４４】
本発明に係る固縛力測定装置の具体的な一例として、加圧水型原子炉（ＰＷＲ）用の１７×１７型のＭＯＸ燃料集合体における固縛力測定装置について以下に説明する。
【００４５】
最大外寸法と最小外寸法を設定するに当たり、このＭＯＸ燃料集合体の基準寸法は２１４ｍｍ角であり、これに対して製造公差を±１ｍｍと仮定し、燃料収納部Ａ内の温度上昇に伴う外寸法の熱膨張の最大値を＋１ｍｍと仮定すると、ＭＯＸ燃料集合体１が最小の場合の外寸法は２１３ｍｍ、ＭＯＸ燃料集合体１が最大の場合の外寸法は２１６ｍｍとなる。
【００４６】
そこで、固縛力測定装置の作製においては、短辺の外寸法をＭＯＸ燃料集合体が最小の場合に合わせた２１３ｍｍとし、長辺の外寸法をＭＯＸ燃料集合体が最大の場合に合わせた２１６ｍｍとなるように作製する。
【００４７】
この場合、前記したように、固縛力測定装置をいずれの辺も最小寸法である２１３ｍｍで製作しておき、１辺のみ３ｍｍ厚さの板を後から皿ネジなどにより取り付けて作製してもよい。
【００４８】
このように作製された固縛力測定装置を用いて固縛力を測定することにより、上記したように、従来に比べて効率的な測定を行うことができる。
【００４９】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５０】
１            燃料集合体
１Ｂ          支持格子
２            固定枠
３            固縛具
３ａ          ボルト
３ｂ          ナット
４Ａ、４Ｂ    サポート板
５            支持板
６Ａ、６Ｂ    固縛力測定板
１０          ロジメント
１１          燃料バスケット
Ａ            燃料収納部
Ｂ            固縛力測定装置
Ｘ１          Ｘ方向の長さ
Ｙ１          Ｙ方向の長さ
【図１】
2015215297.tif 000002
【図２】
2015215297.tif 000003
【図３】
2015215297.tif 000004
【図４】
2015215297.tif 000005